(57)【特許請求の範囲】
【請求項１】
車載自分撮り用スタンドであって、自動車のガラスに真空吸着する撮影用支持スタンド及びハンドルを挟持するスイッチ挟持部を備え、前記撮影用支持スタンドは、スタンド本体、真空吸盤機構及び磁気吸着機構を備え、前記スタンド本体の底部と前記真空吸盤機構とが接続され、前記スタンド本体の頂部と前記磁気吸着機構とが回転可能に接続されていることが特徴とする車載自分撮り用スタンド。
【請求項２】
前記真空吸盤機構は、吸盤、吸盤クランプ、吸盤係止部及びスプリングを備え、前記吸盤クランプと前記吸盤係止部とは回転可能に接続され、前記吸盤係止部と前記吸盤とは接続され、前記スプリングは、前記吸盤クランプ及び吸盤係止部の間に挟まれていることを特徴とする請求項１に記載の車載自分撮り用スタンド。
【請求項３】
前記吸盤の底部には粘着性ソフトゴムパッドが取り付けられていることを特徴とする請求項２に記載の車載自分撮り用スタンド。
【請求項４】
前記磁気吸着機構は、多極磁石吸盤及び磁石ハウジングを備え、前記多極磁石吸盤は前記磁石ハウジング内に収容されていることを特徴とする請求項１に記載の車載自分撮り用スタンド。
【請求項５】
前記磁気吸着機構は、鉄製筐体を備え、前記磁石吸盤は前記鉄製筐体内に配置され、前記鉄製筐体と前記スタンド本体とが回転可能に接続されていることを特徴とする請求項４に記載の車載自分撮り用スタンド。
【請求項６】
前記スイッチ挟持部は、挟持部本体と、前記挟持部本体に取り付けられたスイッチ装置とを備えていることを特徴とする請求項１に記載の車載自分撮り用スタンド。
【請求項７】
前記挟持部本体は軟質プラスチック挟持部であることを特徴とする請求項６に記載の車載自分撮り用スタンド。
【請求項８】
前記スイッチ装置には無線通信モジュールが配置されていることを特徴とする請求項６に記載の車載自分撮り用スタンド。
【請求項９】
前記スイッチ装置にはスイッチボタンが取り付けられていることを特徴とする請求項６に記載の車載自分撮り用スタンド。
【請求項１０】
前記挟持部本体には挟持溝が設けられていることを特徴とする請求項６に記載の車載自分撮り用スタンド。
【発明の詳細な説明】
【技術分野】
【０００１】
本発明は自分撮り用スタンドに関し、具体的には車載自分撮り用スタンドに関する。
【背景技術】
【０００２】
現状において、自動車を運転する際には、安全運転を前提として、携帯電話、タブレット型パソコンなどのモバイル機器を使用して自分撮りや録画することが往々にして困難である。
【発明の概要】
【発明が解決しようとする課題】
【０００３】
従来技術における課題を解決すべく、本発明の目的は、自動車を運転する際に携帯電話、タブレット型パソコンなどのモバイル機器を使用して自分撮りを行うことができる車載自分撮り用スタンドを提供することである。
【課題を解決するための手段】
【０００４】
本発明は、自動車のガラスに真空吸着する撮影用支持スタンド及びハンドルを挟持するスイッチ挟持部を備える車載自分撮り用スタンドを提供する。前記撮影用支持スタンドは、スタンド本体、真空吸盤機構及び磁気吸着機構を備え、前記スタンド本体の底部と前記真空吸盤機構とは接続され、前記スタンド本体の頂部と前記磁気吸着機構とは回転可能に接続されている。
【０００５】
好ましくは、前記真空吸盤機構は、吸盤、吸盤クランプ、吸盤係止部及びスプリングを備えている。前記吸盤クランプと前記吸盤係止部とは回転可能に接続され、前記吸盤係止部と前記吸盤とは接続され、前記スプリングは、前記吸盤クランプ及び吸盤係止部の間に挟まれている。
【０００６】
好ましくは、前記吸盤の底部には粘着性ソフトゴムパッドが取り付けられている。
【０００７】
好ましくは、前記磁気吸着機構は、多極磁石吸盤及び磁石ハウジングを備えている。前記多極磁石吸盤は前記磁石ハウジング内に収容されている。
【０００８】
前記磁石ハウジングによって発散型多極磁気が発生する。
【０００９】
好ましくは、前記磁気吸着機構は、鉄製筐体を備え、前記磁石吸盤は前記鉄製筐体内に配置され、前記鉄製筐体と前記スタンド本体とは回転可能に接続されている。
【００１０】
好ましくは、前記スイッチ挟持部は、挟持部本体及び前記挟持部本体に取り付けられたスイッチ装置を備えている。
【００１１】
好ましくは、前記挟持部本体は軟質プラスチック挟持部である。
【００１２】
好ましくは、前記スイッチ装置には無線通信モジュールが配置されている。
【００１３】
好ましくは、前記スイッチ装置にはスイッチボダンが取り付けられている。
【００１４】
好ましくは、前記挟持部本体には挟持溝が設けられている。
【発明の効果】
【００１５】
上述した技術手段からわかるように、真空吸盤機構を介して素早く撮影用支持スタンドを自動車のガラスに吸着させることができ、次に撮影機能付きのモバイル機器を磁気吸着機構に吸着させ、スイッチ挟持部を自動車のハンドルに挟持させる。これによって、安全運転が保証されることを前提に、自分撮りを行うことができる。
【図面の簡単な説明】
【００１６】
【図１】本発明における車載自分撮り用スタンドの撮影用支持スタンドの構造概略図である。
【図２】本発明における車載自分撮り用スタンドの撮影用支持スタンドの部分構造概略図である。
【図３】本発明における車載自分撮り用スタンドの撮影用支持スタンドの別の角度からの構造概略図である。
【図４】本発明における車載自分撮り用スタンドのスイッチ挟持部の構造概略図である。
【発明を実施するための形態】
【００１７】
図面及び具体的な実施形態と合わせて、本発明について、詳細に説明する。
【００１８】
本発明をよりわかりやすく説明するため、無線通信可能な（例えばブルートゥース（登録商標））携帯電話を自分撮り機器として、以下の実施形態について説明する。
【００１９】
図１から図４に示すように、車載自分撮り用スタンドであって、自動車のガラスに真空吸着する撮影用支持スタンド及びハンドルを挟持するスイッチ挟持部４を備えている。前記撮影用支持スタンドは、スタンド本体１、真空吸盤機構３及び磁気吸着機構２を備えている。スタンド本体１の底部と真空吸盤機構３とが接続され、スタンド本体１の頂部と磁気吸着機構２とが回転可能に接続されている。磁気吸着機構２は、無線ブルートゥース携帯電話を磁気吸着するために使用される。
【００２０】
図１から図４に示すように、真空吸盤機構３は、吸盤３１、吸盤クランプ３４、吸盤係止部３２及びスプリング３３を備えている。吸盤クランプ３４と吸盤係止部３２とは回転可能に接続され、吸盤係止部３２と吸盤３１とは接続され、スプリング３３は、吸盤クランプ３４及び吸盤係止部３２の間に挟まれている。
【００２１】
図１から図４に示すように、吸盤３１の底部には、粘着性ソフトゴムパッド３５が取り付けられている。このように、真空吸着及び粘着性ソフトゴムという２層保護を採用しているため、自動車のガラスに貼り付けられたときに外れやすいという欠陥が解決される。
【００２２】
図１から図４に示すように、磁気吸着機構２は磁石吸盤を備えている。
【００２３】
図１から図４に示すように、磁気吸着機構２は鉄製筐体を備え、前記磁石吸盤が前記鉄製筐体内に配置され、前記鉄製筐体とスタンド本体１とは回転可能に接続されている。
【００２４】
図１から図４に示すように、スイッチ挟持部４は、挟持部本体及び前記挟持部本体に取り付けられたスイッチ装置を備えている。
【００２５】
図１から図４に示すように、前記挟持部本体は軟質プラスチック挟持部である。
【００２６】
図１から図４に示すように、前記スイッチ装置には、無線通信モジュールが配置され、前記無線通信モジュールはブルートゥース（登録商標）無線通信モジュールであることが好ましい。前記ブルートゥース無線通信モジュールを介して無線ブルートゥース携帯電話と通信することにより、無線ブルートゥース携帯電話における撮影スイッチを制御することができる。
【００２７】
図１から図４に示すように、前記スイッチ装置にはスイッチボタンが取り付けられている。
【００２８】
図１から図４に示すように、挟持部本体には、ハンドルを挟持するための挟持溝が設けられている。
【００２９】
本発明は車載自分撮り用スタンドを提供し、真空吸盤機構３を介して素早く撮影用支持スタンドを自動車のガラスに吸着させることができ、次に撮影機能付きのモバイル機器を磁気吸着機構２に吸着させ、スイッチ挟持部４を自動車のハンドルに挟持させる。これによって、安全運転が保証されることを前提に、自分撮りを行うことができ、利便性があり、且つ安全で信頼性が高い。
【００３０】
本発明における車載自分撮り用スタンドは以下の利点がある。
１  スイッチ挟持部４は、軟質プラスチックを採用してハンドルを挟持することができる。
２  ブルートゥースを介して携帯電話、カメラと接続し、携帯電話のカメラキーを制御し、運転中の撮影における安全問題が解決される。
３  鉄製筐体は、亜鉛合金ダイカストを採用してよく、頭部の円形は回転可能であり、携帯電話が自由に回転することができる。
４  吸盤３１は、２層保護を採用し、真空吸着及び粘着性ソフトゴムによって自動車のガラスに貼り付け、外れやすいという欠陥が解決される。
５  吸盤３１の底部は、２層のソフトゴム技術を採用し、ソフト樹脂及びＵＶエポキシ樹脂が溶け合うことにより、吸引力が増強する。
６  携帯電話は、多極４〜８極の磁石を介して専用鉄製筐体と吸引し合い、自由に分離することができる。
７  磁石及び鉄製筐体は、防錆処理された鉄片を採用し、この防錆処理された鉄片の最適な規格は２５＊２５ｍｍで、公差は５ｍｍであり、最適な厚みは０．４ｍｍで、公差は０．２ｍｍであり、この防錆処理された鉄片の規格によって、磁石の筐体の大きさを調整する。
【００３１】
上述した内容は、具体的な好適な実施形態を参照した本発明の詳細な説明であり、本発明を限定するものではないと理解すべきである。当業者にとって、本発明の構想から離れないかぎり、簡単な推論又は置き換えが可能であり、これらのすべては本発明における保護範囲内に含まれるべきである。
【符号の説明】
【００３２】
図１から図４の符号の説明：
スタンド本体  １；
磁気吸着機構  ２；
真空吸盤機構  ３；
吸盤  ３１；
吸盤係止部  ３２；
スプリング  ３３；
吸盤クランプ  ３４；
粘着性ソフトゴムパッド  ３５；
スイッチ挟持部  ４
【図１】
0006046832.tif 000002
【図２】
0006046832.tif 000003
【図３】
0006046832.tif 000004
【図４】
0006046832.tif 000005